(57)【要約】【課題】製造性を向上でき、かつ捻り負荷を低減できる回転ブラシを備えた床ブラシを提供する。【解決手段】外周面に係合凹部１５を軸方向に沿って備え可撓性を有するブラシ台１４を周方向に向けて予め螺旋状に形成する。ブラシ台１４よりも軟質のブラシ部材２１と掻取部材２２の基端側を係合凹部１５に係止してブラシ部材２１と掻取部材２２をブラシ台１４の外周面に突出して取り付ける。係合凹部１５をブラシ台１４の軸方向に沿って直線状に戻した状態でブラシ部材２１と掻取部材２２の基端側を係合凹部１５に容易に係止できるので、製造性を向上できる。回転ブラシ１３を組み立てた状態でブラシ台１４に周方向の復元力が加わらないので、捻り負荷を低減できる。【選択図】        図１
2004351147.tif 000002
【特許請求の範囲】
【請求項１】
可撓性を有し、周方向に向けて予め螺旋状に形成された取付凹部を軸方向に沿って外周面に備えた軸状の取付部材と、
前記取付凹部に基端側が係止されて前記取付部材の外周面に突出して取り付けられ、前記取付部材よりも軟質の清掃部材と
を具備したことを特徴とした回転清掃体。
【請求項２】
取付部材は、清掃部材よりも復元力が大きい
ことを特徴とした請求項１記載の回転清掃体。
【請求項３】
取付部材は、この取付部材より硬質の軸体が同心状に挿通され、かつこの軸体とともに両端部が保持されている
ことを特徴とした請求項１または２記載の回転清掃体。
【請求項４】
請求項１ないし３いずれか一記載の回転清掃体を具備した
ことを特徴とした電気掃除機の吸込口体。
【請求項５】
可撓性を有する筒状の取付部材を、外周面に周方向に向けて取付凹部が螺旋状に形成されるように形成し、
前記取付部材を、前記取付凹部が前記取付部材の軸方向に沿って直線状となるように外力を加えて捻り、
前記取付部材の径方向に向けて突出するように基端側を前記取付凹部に係止して清掃部材を前記取付部材の外周面に取り付け、
前記取付部材を捻った外力を解放して前記取付部材を元の状態に戻す
ことを特徴とした回転清掃体の製造方法。
【発明の詳細な説明】
【０００１】
【発明の属する技術分野】
本発明は、周方向に向けて予め螺旋状に形成された取付凹部を軸方向に沿って外周面に備えた取付部材を有する回転清掃体、これを備えた電気掃除機の吸込口体および回転清掃体の製造方法に関する。
【０００２】
【従来の技術】
従来、この種の電気掃除機の吸込口体に取り付けられる回転清掃体としての回転ブラシは、例えばアルミニウム材などを捻り押し出し成形して予め螺旋状に捻られた状態で形成された取付部材としての円柱状のブラシ台を備えている。このブラシ台の外周面には、このブラシ台の軸方向に沿って凹状の複数の係合凹部が設けられている。すなわち、これら係合凹部は、ブラシ台の周方向に向けて螺旋状に設けられている。そして、これら係合凹部には、清掃部材としてのブラシ部材、あるいは掻取部材の基端側が係止されて突出している。これらブラシ部材、あるいは掻取部材は、ブラシ台の軸寸法と略等しい長さ寸法を有する細長矩形状に形成されており、基端側をブラシ台の一端部側から他端側に向けて、係合凹部内に摺動させて取り付けることで、この係合凹部に係止されている（例えば、特許文献１参照。）。
【０００３】
【特許文献１】
特開平１０−３３４２８号公報（第３頁、図２）
【０００４】
【発明が解決しようとする課題】
しかしながら、上述の回転清掃体では、アルミニウム材などを予め螺旋状に捻ってブラシ台を形成しているため、螺旋状に捻られた係合凹部に細長矩形状のブラシ部材、あるいは掻取部材の基端側を摺動させて取り付けることが容易でなく、製造性が良好でないという問題点を有している。
【０００５】
この点、例えば可撓性を有する部材でブラシ台を直線状に形成し、ブラシ部材、あるいは掻取部材の基端部を直線状の係合凹部に係止させた後、ブラシ台をブラシ部材、あるいは掻取部材とともに周方向に向けて捻って螺旋状にする構成が考えられる。
【０００６】
しかしながら、この構成では、螺旋状に捻った後のブラシ台に直線状に戻ろうとする復元力が働くことで、ブラシ台に捻り負荷、すなわちストレスが加わるおそれがある。
【０００７】
本発明はこのような点に鑑みなされたもので、製造性を向上でき、かつ捻り負荷を低減できる回転清掃体、これを備えた電気掃除機の吸込口体および回転清掃体の製造方法を提供することを目的とする。
【０００８】
【課題を解決するための手段】
本発明は、可撓性を有し、周方向に向けて予め螺旋状に形成された取付凹部を軸方向に沿って外周面に備えた取付部材と、取付凹部に基端側が係止されて取付部材の外周面に突出して取り付けられ、取付部材よりも軟質の清掃部材とを具備したものである。そして、可撓性を有する取付部材を予め捻った状態で形成することにより、取付凹部を取付部材の軸方向に沿って直線状に戻した状態で清掃部材の基端側をこの取付凹部に容易に係止できるので、製造性が向上するとともに、組み立てた状態で取付部材に周方向の復元力が加わらないので、捻り負荷が低減される。
【０００９】
【発明の実施の形態】
以下、本発明の一実施の形態の電気掃除機の構成を図面を参照して説明する。
【００１０】
図８において、１は掃除機本体で、この掃除機本体１の内部には、電動送風機２が収容されている。また、この掃除機本体１は、電動送風機２の駆動にて生じる吸気風とともに吸い込んだ塵埃を捕捉して集塵する。
【００１１】
さらに、この掃除機本体１の前側略中央には、外部から空気を吸引する本体吸込口３が開口されている。この本体吸込口３には、湾曲可能な細長略円筒状の接続管としてのホース体４が連通接続されている。このホース体４の先端には、電動送風機２の動作モードなどが選択可能な手許操作部５が設けられている。
【００１２】
そして、この手許操作部５には、掃除機本体１内の電動送風機２などの駆動状態を所定の状態に設定する複数の設定ボタン６が設けられているとともに、掃除する際に作業者が把持する把持部７が基端側に突設されている。また、この手許操作部５の先端には、伸縮可能な細長略円筒状の延長管８が着脱可能に連通接続されている。さらに、この延長管８の先端には、例えば室内の床面の絨毯などの上に設置させて、この絨毯上の塵埃を吸い込む床ブラシ９が着脱可能に連通接続されている。この床ブラシ９は、電気掃除機の吸込口体である。
【００１３】
また、この床ブラシ９は、図６および図７に示すように、前後方向である走行方向に対して横長で、後部略中央が後方に向けて突出する凸字状のケース体１１を備えている。このケース体１１における被掃除面としての床面に対向する下面には、細長矩形状の吸込口１２が開口形成されている。この吸込口１２は、ケース体１１の走行方向の前側に偏位した位置に設けられており、このケース体１１の走行方向に対する幅方向に沿った長手方向を有した横長矩形状に形成されている。
【００１４】
さらに、このケース体１１の吸込口１２の内側には、細長略円筒状の回転清掃体としての回転ブラシ１３が走行方向に向けて回転自在に軸支されて配設されている。この回転ブラシ１３は、ケース体１１の吸込口１２を床面に対向させた際に、この床面に対向するように取り付けられている。そして、この回転ブラシ１３は、図１ないし図５に示すように、細長略円筒状の取付部材としての清掃台であるブラシ台１４を備えている。このブラシ台１４は、可撓性を有する合成樹脂の部材、例えばゴム、ポリエチレン（Ｐｏｌｙｅｔｈｙｌｅｎｅ）、あるいはエラストマなどを捻り押し出し成形することにより、予め周方向に向けて螺旋状に捻られた状態で成形されている。
【００１５】
このため、ブラシ台１４の外周面には、軸方向に沿って周方向に向けて螺旋状に捻れた断面略凹状の取付溝部としての取付凹部である係合凹部１５が複数、例えば４つ設けられ、これら係合凹部１５は、ブラシ台１４の周方向に向けて一端に対して他端が例えば１８０°捻られて形成されている。
【００１６】
また、これら係合凹部１５は、長手方向をブラシ台１４の長手方向に沿わせた状態で、ブラシ台１４の周方向に間隔をおいて等間隔な位置にそれぞれ設けられている。そして、これら係合凹部１５は、内部が周方向に幅広となる拡大部１６と、この拡大部１６から外周面に連通しこの拡大部１６より幅狭な連通部１７とにて、段差を設けて断面形状が先端幅狭爪状である凹状に形成されている。ここで、これら係合凹部１５の拡大部１６は、基端側が断面凹弧状に形成されており、先端側の内縁が基端側に対向した平面状に形成されている。
【００１７】
そして、これら各係合凹部１５には、清掃部材としての磨き部材である略細長平板状のブラシ部材２１、および、清掃部材としての略細長平板状のブレード部材、すなわちゴムブレードである掻取部材２２の基端側が、周方向に沿って交互に係止されて取り付けられている。したがって、これらブラシ部材２１および掻取部材２２は、ブラシ台１４の外周面にこのブラシ台１４の軸方向に沿って周方向に向けて螺旋状に捻れた状態で取り付けられている。言い換えると、ブラシ部材２１および掻取部材２２は、ブラシ台１４とともに周方に向けて螺旋状に捻られた状態で設けられている。そして、ブラシ部材２１および掻取部材２２は、ブラシ台１４の各係合凹部１５に基端側が係止された状態で、このブラシ台１４の径方向に向けて壁状にそれぞれ突出している。
【００１８】
ここで、ブラシ部材２１は、ブラシ台１４の係合凹部１５の断面形状に略合致した形状である細長略板状のブラシ取付部２３を備えている。このブラシ取付部２３は、ブラシ台１４の係合凹部１５に対して係脱可能とされている。また、このブラシ取付部２３の表面部には、ブラシ毛２４が長手方向に沿って壁状に植設されている。そして、このブラシ部材２１は、ブラシ取付部２３およびブラシ毛２４が、それぞれブラシ台１４を形成する合成樹脂よりも軟質の部材にてブラシ台１４よりも復元力が小さくなるように形成されている。言い換えると、ブラシ台１４は、ブラシ部材２１よりも復元力が大きく形成されている。
【００１９】
一方、掻取部材２２は、細長平板状で長手方向の一側両面に肉厚に膨出する掻き出し部２６を断面凹凸状に設けた弾性を有するブレード２７を備えている。このブレード２７の長手方向の他縁には、このブレード２７と同材質にて一体にブラシ台１４の係合凹部１５の断面形状に略合致した形状である細長略平板状のブレード取付部２８が形成されている。このブレード取付部２８は、ブラシ台１４の係合凹部１５に対して係脱可能とされている。そして、この掻取部材２２は、ブラシ台１４を形成する合成樹脂よりも軟質の部材にてブラシ台１４よりも復元力が小さくなるように形成されている。言い換えると、ブラシ台１４は、掻取部材２２よりも復元力が大きく形成されている。
【００２０】
さらに、ブラシ台１４の各係合凹部１５のそれぞれの間には、ブラシ台１４の長手方向である軸方向に沿った断面略凹状の嵌合溝部としての係止凹部２９がそれぞれ形成されている。これら係止凹部２９は、基端側から先端側に向かうに連れて徐々に拡開したテーパ状に形成されている。また、ブラシ台１４には、断面円形状の貫通孔としてのシャフト挿通孔３１が同心状に設けられている。このシャフト挿通孔３１は、ブラシ台１４の両端部間をこのブラシ台１４の中心軸に沿って軸方向に向けて貫通している。そして、ブラシ台１４内であるシャフト挿通孔３１内には、例えば鋼鉄やステンレス鋼（ＳＵＳ）などの金属にて成形された中空パイプ状の軸体としてのシャフト３２が挿通される。そして、このシャフト３２は、ブラシ台１４より硬質な部材にて直線状に成形されており、このブラシ台１４の両端部から、このシャフト３２の両端部のそれぞれを突出させた状態で、このブラシ台１４のシャフト挿通孔３１に挿通されている。この結果、ブラシ台１４は、シャフト３２により、捻り押し出し成形時の歪みなどが矯正される。
【００２１】
また、このシャフト３２の両端部には、このシャフト３２の径方向に向けて貫通したピン挿通孔３３が穿設されている。これらピン挿通孔３３は互いに平行な軸方向を有している。そして、これらピン挿通孔３３は、シャフト３２をブラシ台１４のシャフト挿通孔３１に挿通させた際に、このブラシ台１４の両端部から突出する位置に設けられている。またさらに、シャフト３２の各ピン挿通孔３３よりも両端側には、このシャフト３２の周方向に沿った断面凹溝状の係合溝部３４が形成されている。
【００２２】
さらに、ブラシ台１４の両端部には、ブラシ台１４の両端部をシャフト３２の両端部とともに保持固定する保持部材としての受体である略円筒状の受板４１がそれぞれ同軸状に取り付けられている。これら受板４１は、ブラシ台１４のシャフト挿通孔３１に挿通されたシャフト３２の両端部に嵌合されて取り付けられている。
【００２３】
そして、これら受板４１の中心部には、シャフト３２の端部が挿通される挿通孔４２が設けられている。また、受板４１内には、回転ブラシ１３を回転させるための図示しないメタルベアリングが取り付けられている。さらに、この挿通孔４２の一端部である先端部の開口縁には、嵌合突部としてのリブ４３が複数、例えば４つ略等間隔で設けられている。これらリブ４３は、ブラシ台１４の各係止凹部２９に嵌合されて、このブラシ台１４をシャフト３２に保持固定する。言い換えると、これらリブ４３は、ブラシ台１４の各係止凹部２９に引っ掛けられて固定されている。
【００２４】
また、これらリブ４３は、受板４１の挿通孔４２の開口方向である軸方向に沿って突出しており、ブラシ台１４の係止凹部２９に合致した断面形状を有している。さらに、これらリブ４３は、ブラシ台１４の端部を受板４１の先端部に嵌合させた際に、ブラシ台１４の係止凹部２９のそれぞれに軸方向に沿って嵌合される。また、これらリブ４３は、ブラシ台１４の周方向である回転方向へのずれを規制する。
【００２５】
さらに、これらリブ４３の基端部である受板４１の周面部には、この受板４１の挿通孔４２の周方向に沿って突出した円環状の内側鍔部４４が同心状に設けられている。この内側鍔部４４は、各リブ４３をブラシ台１４の一端の各係止凹部２９に軸方向に沿って移動させて嵌合させて、受板４１にブラシ台１４の一端部を係止した際に、このブラシ台１４の一端面が当接する。さらに、この内側鍔部４４は、ブラシ台１４の最大外径よりも若干大きな外径寸法を有しており、このブラシ台１４の係合凹部１５からのブラシ部材２１の抜けを防止する。
【００２６】
また、この内側鍔部４４よりも受板４１の先端側の周面部には、この受板４１の挿通孔４２の周方向に沿って突出した円環状の外側鍔部４５が同心状に設けられている。この外側鍔部４５の外周面側には、外周面に周方向に向けて等間隔にギア溝４６が形成された略円筒状の歯車部４７が同心状に設けられている。そして、この歯車部４７の先端側の内側には、略円筒状の軸受４８が嵌合されている。この軸受４８は、シャフト３２の端部に嵌合されて、このシャフト３２の端部を回転自在に固定する。なお、受板４１の歯車部４７は、軸受４８の外周面を覆って、この軸受４８への塵埃などの侵入を防止する。また、軸受４８の先端側の外周面には、側面視略矩形状の係合面部４９が形成されている。
【００２７】
ここで、床ブラシ９のケース体１１の吸込口１２の走行方向に対する両側縁のそれぞれには、一対の軸支凹部５１が区画形成されている。これら軸支凹部５１のそれぞれには、受板４１の歯車部４７内に嵌合されてシャフト３２の両端部を回転自在に固定した軸受４８の係合面部４９がそれぞれ係合される。この結果、これら軸受４８は、一対の軸支凹部５１間にシャフト３２を回転自在に支持して固定させる。
【００２８】
さらに、内側鍔部４４と外側鍔部４５との間の受板４１の周面部には、ピン挿通孔５３が穿設されている。このピン挿通孔５３は、各受板４１の径方向に沿って貫通している。また、これらピン挿通孔５３は、受板４１の挿通孔４２にシャフト３２を挿通させた状態で、このシャフト３２のピン挿通孔３３に連通する。そして、これらピン挿通孔５３は、シャフト３２のピン挿通孔３３に位置合わせされて連通された状態で、これらピン挿通孔３３，５３に細長円柱状のピン５４が挿入されて、受板４１とシャフト３２とを軸方向および周方向のそれぞれに対して連結固定させる。
【００２９】
一方、床ブラシ９のケース体１１内の一方の軸支凹部５１の後側には、駆動手段としてのモータ６１が収容されている。このモータ６１の先端部には、このモータ６１の駆動により回転する回転軸６２が突出している。この回転軸６２には、外周面に図示しないギア溝が形成された歯車６３が同心状に取り付けられている。この歯車６３のギア溝は、受板４１の歯車部４７のギア溝４６に等しい間隔および大きさに形成されている。さらに、この歯車６３は、床ブラシ９のケース体１１内に取り付けられた回転ブラシ１３の一方の受板４１の後側に位置し、この受板４１の回転方向に一致した回転方向を有している。
【００３０】
そして、この歯車６３と回転ブラシ１３の一方の受板４１の歯車部４７との間には、無端状の調帯としてのベルト体６４が橋渡すように巻回されている。このベルト体６４の内周面には、歯車６３のギア溝および歯車部４７のギア溝４６のそれぞれに係合可能な間隔および大きさである図示しないギア溝が形成されている。したがって、モータ６１を駆動させることにより、このモータ６１の回転軸６２の回転により歯車６３が回転し、この歯車６３の回転によってベルト体６４が回転して回転ブラシ１３の一方の受板４１が回転し、この回転ブラシ１３が周方向に向けて回転駆動される。
【００３１】
次に、上記一実施の形態の床ブラシの組み立て方法を説明する。
【００３２】
まず、図２に示すように、可撓性を有するブラシ台１４を、外周面に周方向に向けて各係合凹部１５が螺旋状に形成されるように、捻り押し出し成形する。
【００３３】
次いで、ブラシ台１４の軸方向の一端部に外力を加えて、このブラシ台１４の軸方向の一端部を他端部に対して周方向に例えば約１８０°捻り、図３に示すように、各係合凹部１５がブラシ台１４の軸方向に沿って直線状になるようにする。
【００３４】
この状態で、ブラシ部材２１および掻取部材２２がブラシ台１４の径方向に向けて突出するように、ブラシ部材２１のブラシ取付部２３および掻取部材２２のブレード取付部２８を、ブラシ台１４の軸方向の一端部から他端部に向けて各係合凹部１５内に摺動させて係止する。このとき、ブラシ部材２１および掻取部材２２は、ブラシ台１４の周方向に沿って交互になるように取り付ける。
【００３５】
この後、ブラシ台１４を捻った外力を解放すると、ブラシ台１４を形成する部材自身の復元力により、図４に示すように、ブラシ台１４がブラシ部材２１および掻取部材２２とともに周方向に向けて螺旋状に捻られた元の状態に戻る。
【００３６】
そして、図１に示すように、ブラシ部材２１および掻取部材２２が外周面に取り付けられたブラシ台１４のシャフト挿通孔３１にシャフト３２を挿入し、図４に示すように、シャフト３２の両端部を受板４１の挿通孔４２に挿通させ、図５に示すように、受板４１の各リブ４３のそれぞれをブラシ台１４の両端部から、この係合凹部１５のそれぞれに嵌合させる。
【００３７】
この状態で、各受板４１のピン挿通孔５３をシャフト３２のピン挿通孔３３，３３にそれぞれ位置合わせして連通させ、ピン５４，５４を挿入して各受板４１をシャフト３２にそれぞれ連結させる。
【００３８】
この後、各受板４１の挿通孔４２から外側へと突出したシャフト３２の両端部に軸受４８を回転可能に嵌合させて取り付けて回転ブラシ１３とする。
【００３９】
そして、この回転ブラシ１３の各軸受４８のそれぞれをケース体１１の軸支凹部５１のそれぞれに嵌合させて、このケース体１１の吸込口１２内に回転ブラシ１３を回転自在に軸支させて床ブラシ９を完成する。
【００４０】
次に、上記一実施の形態の動作を説明する。
【００４１】
まず、掃除をする際には、掃除機本体１にホース体４および延長管８を介して床ブラシ９を接続する。そして、このホース体４の把持部７を持って押動させて、床ブラシ９を床面上で前後に走行させる。
【００４２】
このとき、掃除機本体１内の電動送風機２の駆動により発生する吸込力によって、床ブラシ９の吸込口１２から空気とともに床面上の塵埃が吸い込まれる。
【００４３】
さらに、ホース体４の手許操作部５の所定の設定ボタン６をオンして、床ブラシ９の回転ブラシ１３を回転駆動させた場合には、この回転ブラシ１３のブラシ部材２１の回転により、このブラシ部材２１のブラシ毛２４にて床面がブラッシングされる。すなわち、この床面が板の間などである場合には、この床面にこびりついた塵埃が床面から掃き取られて取り除かれて磨かれ、床ブラシ９の吸込口１２へと吸い込まれる。
【００４４】
同時に、この回転ブラシ１３の掻取部材２２の回転により、床面上の塵埃が掃き取られる。すなわち、この床面が絨毯などである場合には、掻取部材２２のブレード２７の掻き出し部２６によって、絨毯の中に入り込んだ塵埃が外部へと掻き出されて取り除かれて、床ブラシ９の吸込口１２へと吸い込まれる。
【００４５】
この後、この床ブラシ９の吸込口１２から塵埃とともに吸い込まれた空気は、この床ブラシ９から延長管８およびホース体４を順次介して掃除機本体１の本体吸込口３へと吸い込まれた後、この掃除機本体１内に収容させた集塵パックへと吸い込まれて空気とともに吸い込んだ塵埃が捕捉される。
【００４６】
上述したように、上記一実施の形態では、可撓性を有するブラシ台１４の外周面に、周方向に向けて予め螺旋状に形成された係合凹部１５を軸方向に沿ってそれぞれ設け、ブラシ台１４よりも軟質のブラシ部材２１および掻取部材２２の基端側を各係合凹部１５に係止し、ブラシ部材２１および掻取部材２２をブラシ台１４の外周面に突出させて取り付ける構成とした。
【００４７】
この結果、回転ブラシ１３を組み立てる際に、各係合凹部１５がブラシ台１４の軸方向に沿った直線状になるようにブラシ台１４を周方向に向けて捻った状態で、ブラシ部材２１および掻取部材２２の基端側を各係合凹部１５の軸方向の一端部側から他端部側に向けて摺動させることでブラシ部材２１および掻取部材２２をブラシ台１４に容易に係止できるので、製造性を向上できる。
【００４８】
また、ブラシ台１４が予め周方向に向けて捻られた状態で成形されているため、ブラシ台１４の軸方向に沿って直線状になるようにしたブラシ台１４の各係合凹部１５にブラシ部材２１および掻取部材２２の基端側を係止すると、ブラシ台１４自身の復元力によりブラシ台１４自身が周方向に向けて螺旋状に捻られた状態となる。
【００４９】
このため、回転ブラシ１３を組み立てた状態で、ブラシ台１４に周方向の復元力が加わることがなく、回転ブラシ１３を組み立てた状態でのブラシ台１４の周方向に向けた捻り負荷、すなわちストレスを低減できる。
【００５０】
さらに、回転ブラシ１３を組み立てた状態でブラシ台１４に周方向に向けたストレスが加わりにくいため、このブラシ台１４の係止凹部２９に嵌合する受板４１のリブ４３に周方向の応力が加わりにくく、このリブ４３の折れなどの損傷を、より確実に防止できる。
【００５１】
そして、ブラシ台１４の復元力を、ブラシ部材２１および掻取部材２２の復元力よりも大きくすることで、ブラシ台１４にブラシ部材２１および掻取部材２２の基端側を取り付けた後、ブラシ台１４を周方向に向けて捻る外力を別個に加えることなく、ブラシ台１４がブラシ部材２１および掻取部材２２とともに螺旋状に確実に復元するので、ブラシ台１４を捻るために別個に外力を加える従来の場合と比較して、より容易に製造でき、製造性をより向上できる。
【００５２】
なお、上記一実施の形態において、床ブラシ９に回転ブラシ１３を複数配設してもよい。また、この回転ブラシ１３をモータ６１にて回転駆動させたが、電動送風機２による吸気風にて回転駆動させる構成とすることもできる。
【００５３】
そして、ブラシ台１４に４つの係合凹部１５を設けたが、このブラシ台１４に取り付けられる清掃部材の個数に合わせて、少なくとも一つ以上あればよい。また、この清掃部材としては、ブラシ部材２１や掻取部材２２に限らず、例えば布ブレードを有した床磨部材などでもよい。さらに、ブラシ台１４の係合凹部１５にブラシ部材２１および掻取部材２２を交互に取り付けたが、交互に限られず、ブラシ台１４の各係合凹部１５のそれぞれに一種類の掻取部材２２のみを取り付けたり、複数種類を取り付けたりしてもよい。
【００５４】
また、回転ブラシ１３の組み立ての際に、ブラシ部材２１、あるいは掻取部材２２がブラシ台１４の元の捻り状態への復元を妨げる負荷となり、ブラシ台１４の係合凹部１５を直線状にする外力を解放するだけではブラシ台１４が元の捻り状態に完全に戻らない場合には、ブラシ台１４に補助的な外力を加えてブラシ台１４を元の捻り状態に復元させるようにすることも可能である。
【００５５】
さらに、キャニスタ型の電気掃除機に限らず、床ブラシ９が掃除機本体１の下面に直接形成されたアップライト型、その他、掃除機本体１と床ブラシ９とが一体化された自走式の電気掃除機あるいはハンディ型などであっても対応させて用いることができる。
【００５６】
【発明の効果】
本発明によれば、可撓性を有する取付部材を予め捻った状態で形成することにより、取付凹部を取付部材の軸方向に沿って直線状に戻した状態で清掃部材の基端側をこの取付凹部に容易に係止できるので、製造性を向上できるとともに、組み立てた状態で取付部材に周方向の復元力が加わらないので、捻り負荷を低減できる。
【図面の簡単な説明】
【図１】本発明の一実施の形態の回転清掃体の一部を示す分解斜視図である。
【図２】同上回転清掃体の組立工程を示す一部の斜視図である。
【図３】同上回転清掃体の組立工程を示す一部の斜視図である。
【図４】同上回転清掃体の組立工程を示す一部の斜視図である。
【図５】同上回転清掃体を示す斜視図である。
【図６】同上回転清掃体を備えた電気掃除機の吸込口体を示す縦断面図である。
【図７】同上電気掃除機の吸込口体を示す平面図である。
【図８】同上電気掃除機の吸込口体を備えた電気掃除機を示す斜視図である。
【符号の説明】
９    電気掃除機の吸込口体としての床ブラシ
１３    回転清掃体としての回転ブラシ
１４    取付部材としてのブラシ台
１５    取付凹部としての係合凹部
２１    清掃部材としてのブラシ部材
２２    清掃部材としての掻取部材
３２    軸体としてのシャフト
【図１】
2004351147.tif 000003
【図２】
2004351147.tif 000004
【図３】
2004351147.tif 000005
【図４】
2004351147.tif 000006
【図５】
2004351147.tif 000007
【図６】
2004351147.tif 000008
【図７】
2004351147.tif 000009
【図８】
2004351147.tif 000010